(57)【特許請求の範囲】
【請求項１】
基地局装置であって、
変更が必要なデータ無線ベアラのリストを含むdrb-ToAddModListパラメータと、特定の無線ベアラを第１のデータ無線ベアラから別のデータ無線ベアラに再構成することを示す指示情報とを含む第１の無線リソース制御接続再構成メッセージをユーザ装置に送信する送信部を備え、
適応エンティティが前記別のデータ無線ベアラに設定されており、
前記指示情報は前記別のデータ無線ベアラが第２のデータ無線ベアラと第３のデータ無線ベアラとのうちの何れであるかを示し、
前記drb-ToAddModListパラメータはpdcp-Configパラメータを含み、
前記pdcp-Configパラメータは構成可能なパケットデータ収束プロトコルパラメータの設定に使用され、
前記パケットデータ収束プロトコルパラメータは、前記第１のデータ無線ベアラから前記別のデータ無線ベアラへの再構成に使用され、
前記別のデータ無線ベアラが前記第２のデータ無線ベアラである場合であって無線リンク制御エンティティ及びDTCH論理チャネルが再構成される場合に、前記drb-ToAddModListパラメータがrlc-ConfigパラメータとlogicalChannelConfigパラメータを含み、
前記rlc-Configパラメータは、前記第１のデータ無線ベアラから前記第２のデータ無線ベアラへの再構成に使用する無線リンク制御構成情報を示すのに使用され、
前記logicalChannelConfigパラメータは、論理チャネルパラメータの構成に使用され、
前記特定の無線ベアラ用の前記pdcp-Configパラメータは、前記ユーザ装置によってパケットデータ収束プロトコルエンティティを再構成するのに使用され、
前記特定の無線ベアラ用の前記rlc-Configパラメータ及び前記logicalChannelConfigパラメータは、前記ユーザ装置によって前記無線リンク制御エンティティと前記DTCH論理チャネルとの前記再構成に使用され、
前記第１のデータ無線ベアラは、無線プロトコルがワイヤレス・ローカル・エリアネットワークではなく基地局装置に位置するＭＣＧベアラであって、基地局装置の無線リソースのみを使用するＭＣＧベアラであり、
前記第２のデータ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラであり、
前記第３のデータ無線ベアラは、無線プロトコルが前記基地局装置と前記ワイヤレス・ローカル・エリアネットワークの両方に位置するが、前記ワイヤレス・ローカル・エリアネットワークの無線リソースのみを使用するベアラである、基地局装置。
【請求項２】
ユーザ装置であって、
変更が必要なデータ無線ベアラのリストを含むdrb-ToAddModListパラメータと、特定の無線ベアラを第１のデータ無線ベアラから別のデータ無線ベアラに再構成することを示す指示情報とを含む第１の無線リソース制御接続再構成メッセージを受信する受信部を備え、
適応エンティティが前記別のデータ無線ベアラに設定されており、
前記指示情報は前記別のデータ無線ベアラが第２のデータ無線ベアラと第３のデータ無線ベアラのうちの何れであるかを示し、
前記drb-ToAddModListパラメータに特定の無線ベアラ用のpdcp-Configパラメータが含まれている場合に、前記pdcp-Configパラメータに従ってパケットデータ収束プロトコルエンティティを再構成する再構成ユニットを備え、
前記pdcp-Configパラメータは構成可能なパケットデータ収束プロトコルパラメータの設定に使用され、
前記パケットデータ収束プロトコルパラメータは、前記第１のデータ無線ベアラから前記別のデータ無線ベアラへの再構成に使用され、
前記再構成ユニットは、前記別のデータ無線ベアラが前記第２のデータ無線ベアラである場合であって、前記drb-ToAddModListパラメータに特定の無線ベアラ用のrlc-Configパラメータと前記特定の無線ベアラ用のlogicalChannelConfigパラメータが含まれている場合に、前記rlc-Configパラメータと前記logicalChannelConfigパラメータとに従って、無線リンク制御エンティティとDTCH論理チャネルを再構成し、
前記rlc-Configパラメータは、前記第１のデータ無線ベアラから前記第２のデータ無線ベアラへの再構成に使用する無線リンク制御構成情報を示すのに使用され、
前記logicalChannelConfigパラメータは、論理チャネルパラメータの構成に使用され、
前記第１のデータ無線ベアラは、無線プロトコルがワイヤレス・ローカル・エリアネットワークではなく基地局装置に位置するＭＣＧベアラであって、基地局装置の無線リソースのみを使用するＭＣＧベアラであり、
前記第２のデータ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラであり、
前記第３のデータ無線ベアラは、無線プロトコルが前記基地局装置と前記ワイヤレス・ローカル・エリアネットワークの両方に位置するが、前記ワイヤレス・ローカル・エリアネットワークの無線リソースのみを使用するベアラである、ユーザ装置。
【請求項３】
基地局装置によって実行される方法であって、
変更が必要なデータ無線ベアラのリストを含むdrb-ToAddModListパラメータと、特定の無線ベアラを第１のデータ無線ベアラから別のデータ無線ベアラに再構成することを示す指示情報とを含む第１の無線リソース制御接続再構成メッセージをユーザ装置に送信し、
適応エンティティが前記別のデータ無線ベアラに設定されており、
前記指示情報は前記別のデータ無線ベアラが第２のデータ無線ベアラと第３のデータ無線ベアラとのうちの何れであるかを示し、
前記drb-ToAddModListパラメータはpdcp-Configパラメータを含み、
前記pdcp-Configパラメータは構成可能なパケットデータ収束プロトコルパラメータの設定に使用され、
前記パケットデータ収束プロトコルパラメータは、前記第１のデータ無線ベアラから前記別のデータ無線ベアラへの再構成に使用され、
前記別のデータ無線ベアラが前記第２のデータ無線ベアラである場合であって無線リンク制御エンティティ及びDTCH論理チャネルが再構成される場合に、前記drb-ToAddModListパラメータがrlc-ConfigパラメータとlogicalChannelConfigパラメータを含み、
前記rlc-Configパラメータは、前記第１のデータ無線ベアラから前記第２のデータ無線ベアラへの再構成に使用する無線リンク制御構成情報を示すのに使用され、
前記logicalChannelConfigパラメータは、論理チャネルパラメータの構成に使用され、
前記特定の無線ベアラ用の前記pdcp-Configパラメータは、前記ユーザ装置によってパケットデータ収束プロトコルエンティティを再構成するのに使用され、
前記特定の無線ベアラ用の前記rlc-Configパラメータ及び前記logicalChannelConfigパラメータは、前記ユーザ装置によって前記無線リンク制御エンティティと前記DTCH論理チャネルとの前記再構成に使用され、
前記第１のデータ無線ベアラは、無線プロトコルがワイヤレス・ローカル・エリアネットワークではなく基地局装置に位置するＭＣＧベアラであって、基地局装置の無線リソースのみを使用するＭＣＧベアラであり、
前記第２のデータ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラであり、
前記第３のデータ無線ベアラは、無線プロトコルが前記基地局装置と前記ワイヤレス・ローカル・エリアネットワークの両方に位置するが、前記ワイヤレス・ローカル・エリアネットワークの無線リソースのみを使用するベアラである、方法。
【請求項４】
ユーザ装置によって実行される方法であって、
変更が必要なデータ無線ベアラのリストを含むdrb-ToAddModListパラメータと、特定の無線ベアラを第１のデータ無線ベアラから別のデータ無線ベアラに再構成することを示す指示情報とを含む第１の無線リソース制御接続再構成メッセージを受信し、
適応エンティティが前記別のデータ無線ベアラに設定されており、
前記指示情報は前記別のデータ無線ベアラが第２のデータ無線ベアラと第３のデータ無線ベアラのうちの何れであるかを示し、
前記drb-ToAddModListパラメータに特定の無線ベアラ用のpdcp-Configパラメータが含まれている場合に、前記pdcp-Configパラメータに従ってパケットデータ収束プロトコルエンティティを再構成し、
前記pdcp-Configパラメータは構成可能なパケットデータ収束プロトコルパラメータの設定に使用され、
前記パケットデータ収束プロトコルパラメータは、前記第１のデータ無線ベアラから前記別のデータ無線ベアラへの再構成に使用され、
前記別のデータ無線ベアラが前記第２のデータ無線ベアラである場合であって、前記drb-ToAddModListパラメータに特定の無線ベアラ用のrlc-Configパラメータと前記特定の無線ベアラ用のlogicalChannelConfigパラメータが含まれている場合に、前記rlc-Configパラメータと前記logicalChannelConfigパラメータとに従って、無線リンク制御エンティティとDTCH論理チャネルを再構成し、
前記rlc-Configパラメータは、前記第１のデータ無線ベアラから前記第２のデータ無線ベアラへの再構成に使用する無線リンク制御構成情報を示すのに使用され、
前記logicalChannelConfigパラメータは、論理チャネルパラメータの構成に使用され、
前記第１のデータ無線ベアラは、無線プロトコルがワイヤレス・ローカル・エリアネットワークではなく基地局装置に位置するＭＣＧベアラであって、基地局装置の無線リソースのみを使用するＭＣＧベアラであり、
前記第２のデータ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラであり、
前記第３のデータ無線ベアラは、無線プロトコルが前記基地局装置と前記ワイヤレス・ローカル・エリアネットワークの両方に位置するが、前記ワイヤレス・ローカル・エリアネットワークの無線リソースのみを使用するベアラである、方法。
【発明の詳細な説明】
【技術分野】
【０００１】
本発明は移動通信に関し、具体的にはデータ無線ベアラを再構成する方法及びユーザ装置に関する。
【背景技術】
【０００２】
第３世代パートナーシップ・プロジェクト（３ＧＰＰ）ロング・ターム・エボリューション（ＬＴＥ）システムとワイヤレス・ローカル・エリアネットワーク（Wireless Local Area Network，ＷＬＡＮ）とのコアレイヤの相互運用性及び統合は３ＧＰＰ標準化ドキュメントにて定義されている。３ＧＰＰ  ＬＴＥリリース１２ではＬＴＥとＷＬＡＮとのＲＡＮレイヤの相互運用性及び統合について研究を行っている（３ＧＰＰ  ＴＲ３７．８３４を参照のこと）。
【０００３】
３ＧＰＰ  ＴＳＧ  ＲＡＮ＃６７回会議にて３ＧＰＰ  ＬＴＥリリース１３中にてＬＴＥ−ＷＬＡＮのＲＡＮレイヤでの統合及び相互運用性を強化する研究提議が承認されている（３ＧＰＰ会議リポートＲＰ−１５０５１０を参照のこと）。ＬＴＥ−ＷＬＡＮのＲＡＮレイヤでの統合及び相互運用性を強化する研究には、ＬＴＥ−ＷＬＡＮのＲＡＮレイヤでの統合の増強、及びＬＴＥ−ＷＬＡＮのＲＡＮレイヤでの相互運用性を強化するものが含まれる。ＬＴＥ−ＷＬＡＮのＲＡＮレイヤでの統合とは、ＲＲＣ接続状態でのユーザ装置がＬＴＥ及びＷＬＡＮが提供する無線リソースを同時に利用するように構成されるとともに、前記統合がＷＬＡＮのＭＡＣレイヤでの標準化済みのものに影響しないというものである。ＬＴＥ−ＷＬＡＮのＲＡＮレイヤでの統合の強化は、３ＧＰＰ  ＬＴＥリリース１２で定義されている二重接続のオプション２Ｃ及び３Ｃに基づく。
【０００４】
図１及び図２に示すオプション２Ｃ及び３Ｃは二つの論理ノード、主の基地局（ＭｅＮＢ）とＷＬＡＮ論理ノードとが含まれる。主の基地局とはＬＴＥ−ＷＬＮ統合及び相互運用性をサポートする基地局であって、これはユーザ装置の無線リソース管理測定構成を保守するとともに、受取った測定リポート又はトラフィック状況又はベアラタイプ等に基づいてＷＬＮにユーザ機器のために別途リソースを提供するようリクエストすることを担うもののことである。ＷＬＮは主の基地局からのリクエストを受取った後、ユーザ装置のためにデータ送信サービスを提供するか、又は十分なリソースがないために前記リクエストを拒絶する。ＷＬＮとは主の基地局からユーザデータを受信するとともに、ＷＬＡＮが提供する無線リソースを利用してデータをユーザ装置に転送する機能を有する論理ノードのことである。
【０００５】
図１に示すオプション２Ｃは以下の特徴を有する：（１）主の基地局はＳ１−Ｕインタフェースを通じてサービスゲートウェイと通信する。（２）データ無線ベアラ（ＤＲＢ）は主の基地局にて分離しない。（３）主の基地局に位置するパケットデータ収束プロトコルＰＤＣＰエンティティがサービスゲートウェイからのＰＤＣＰ  ＳＤＵをＷＬＮの受信エンティティ（適応エンティティ又はＷＬＮエンティティと呼ばれる）が要求するフォーマットにパッケージするとともに、前記適応エンティティに送信する。前記適応エンティティは要求に応じて、ＭｅＮＢのＰＤＣＰエンティティから受信したデータをパッケージして、その後ＷＬＡＮ無線リソースを通じてユーザ装置（ＵＥ）に送信する。ここで、ユーザ装置はユーザ端末、ユーザノード、移動端末又はタブレットＰＣとすることができる。以下の記述にて、オプション２Ｃ特徴を有するデータ無線ベアラをＷＬＮ不可分データ無線ベアラ（ＷＬＮ不可分ＤＲＢ）と呼ぶ。
【０００６】
図２示すオプション３Ｃは以下の特徴を備える：（１）主の基地局はＳ１−Ｕインタフェースを通じてサービスゲートウェイと通信する。（２）データ無線ベアラは主の基地局にて分離する。（３）分離データ無線ベアラに対して、主の基地局には対応する無線リンク制御ＲＬＣエンティティがある。主の基地局に位置するＰＤＣＰエンティティはサービスゲートウェイからのＰＤＣＰ  ＳＵＤをＰＤＣＰ  ＰＤＵとしてパッケージするとともに、パッケージ後の一部ＰＤＣＰ  ＰＤＵをＭｅＮＢのＲＬＣエンティティ、ＭＡＣエンティティ及び物理レイヤを通じてＵＥに送信し、残りのＰＤＣＰ  ＰＤＵは要求に応じて更にパッケージした後にＷＬＮの適応エンティティに送信するとともに、ＷＬＡＮが提供する無線リソースを通じてＵＥに送信する。本発明の後述部分にて、オプション３Ｃ特徴を有するデータ無線ベアラをＷＬＮ分離データ無線ベアラ（ＷＬＮ分離ＤＲＢ）とする。
【０００７】
本発明で言及するマスターセルグループ（Master Cell Group，ＭＣＧ）とはＵＥの一グループのサービスセルのことであり、このグループのサービスセルは一つのプライマリセル（ＰＣｅｌｌ）と０個又は複数のセカンダリセル（ＳＣｅｌｌ）を含む。オプション２Ｃ及び３Ｃの構成に基づいて、ＬＴＥ−ＷＬＡＮ統合及び相互運用性システムにおいて、もしデータ無線ベアラが送信するユーザデータがマスターセルグループのみで送信するのであれば（つまりデータ無線ベアラが送信するユーザデータはマスターセルグループのＰＤＣＰエンティティ、ＲＬＣエンティティ、ＭＡＣエンティティ及び物理レイヤＰＨＹを経てＵＥに送信される）、このデータ無線ベアラはマスターセルグループのデータ無線ベアラ（ＭＣＧ  ＤＲＢ）と呼ばれる。もしデータ無線ベアラのユーザデータがマスターセルグループの無線リソース及びＷＬＡＮの無線リソースを同時に利用して送信するのであれば（つまりデータ無線ベアラが送信するユーザデータの一部はマスターセルグループのＰＤＣＰエンティティ、ＲＬＣエンティティ、ＭＡＣエンティティ及び物理レイヤＰＨＹを経てＵＥに送信され、ユーザデータの他の一部はマスターセルグループのＰＤＣＰエンティティ及びＷＬＡＮを経てＵＥに送信される）、このデータ無線ベアラはＷＬＮ分離データ無線ベアラ（ＷＬＮ分離ＤＲＢ）と呼ばれる。もしデータ無線ベアラが送信するユーザデータがマスターセルグループのＰＤＣＰエンティティによりデータをパッケージするとともにＷＬＡＮが提供する無線リソースを利用して送信するのであれば、このデータ無線ベアラはＷＬＮ不可分データ無線ベアラ（ＷＬＮ不可分ＤＲＢ）と呼ばれる。言い換えるならば、ＷＬＮ不可分ＤＲＢのユーザデータはＬＴＥが提供する無線リソースを利用せずに送信し、そして単にＭＣＧのＰＤＣＰエンティティのみを利用してパッケージした後ＷＬＮに送信するとともに、ＷＬＡＮ無線リソースを通じてユーザ装置に送信するというものである。本発明において、ＷＬＮ分離ＤＲＢ及びＷＬＮ不可分ＤＲＢは合わせてＷＬＮデータ無線ベアラ（ＷＬＮ  ＤＲＢ）と呼ばれる。つまり本発明にて言及したＷＬＮＤＲＢはＷＬＮ分離ＤＲＢを示しても、またＷＬＮ不可分ＤＲＢを示してもよい。
【０００８】
ＬＴＥ−ＷＬＡＮ統合システムにおいて、主の基地局及びＷＬＮが備える利用可能な無線リソースの状況に基づいて、主の基地局とＷＬＮとの間で、データ無線ベアラの再構成をダイナミックに行う必要がある。例えば、主の基地局がＵＥのために十分な無線リソースを提供できないとき、ＷＬＮがＵＥに無線リソースを提供するようにリクエストして、直ちにＭＣＧ  ＤＲＢをＷＬＮ分離ＤＲＢ又はＷＬＮ不可分ＤＲＢとして再構成する。主の基地局及びＷＬＮが同時にＵＥのためにサービスするとき（つまりオプション３Ｃの構成に基づく）、もし一定時間内にて主の基地局にはＵＥに提供可能なより多くの無線リソースがある反面でＷＬＮにはＵＥに提供する十分な無線リソースがない時には、主の基地局はデータ無線ベアラを主の基地局向けに再構成することができ、直ちにＷＬＮ分離ＤＲＢをＭＣＧ  ＤＲＢとして再構成する。もし一定時間内に、主の基地局にはＵＥに提供可能な無線リソースはないがＷＬＮはより多くの無線リソースをＵＥ提供することができるとき、主の基地局はデータ無線ベアラをＷＬＮ向けに再構成することができ、直ちにＷＬＮ分離ＤＲＢをＷＬＮ不可分ＤＲＢとして再構成する。ＷＬＮが単独でユーザに無線リソースを提供してデータ送信を行うとき（オプション２Ｃの構成に基づく）、もし一定時間内に主の基地局により多くの無線リソースをＵＥに提供できるか又はＷＬＮにはＵＥに提供す十分なリソースがないとき、主の基地局はデータ無線ベアラを主の基地局向けに再構成することができ、直ちにＷＬＮ不可分ＤＲＢをＭＣＧ  ＤＲＢとして再構成する。もし一定時間内に、主の基地局がＵＥに無線リソースの一部を提供することができるのであれば、このときＷＬＮ不可分ＤＲＢをＷＬＮ分離ＤＲＢとして再構成することができる。
【発明の概要】
【０００９】
本発明の目的は、主の基地局とＷＬＮとの間の無線ベアラを再構成する場合の問題を解決するところにある。
【００１０】
本発明の一つの態様によれば、無線リソース制御接続再構成メッセージを受信することと、受信した無線リソース制御接続再構成メッセージ中に、ユーザ装置が第１のタイプのデータ無線ベアラを第１のタイプとは異なる第２のタイプのデータ無線ベアラとして再構成することを指示する指示情報を含むか否かを決定することと、もし受信した無線リソース制御接続再構成メッセージ中に指示情報が含まれるのであれば、前記無線リソース制御接続再構成メッセージに基づいてユーザ装置に対して再構成を行うことと、を含むユーザ装置により実行する方法であって、第１のタイプのデータ無線ベアラはマスターセルグループＭＣＧデータ無線ベアラ又はワイヤレスローカルエリアネットワークＷＬＮ分離データ無線ベアラを含み、第２のタイプのデータ無線ベアラはＭＣＧデータ無線ベアラ、ＷＬＮ分離データ無線ベアラ又はＷＬＮ不可分データ無線ベアラを含む、ユーザ装置により実行する方法を提供する。
【００１１】
一つの実施例において、第１のタイプのデータ無線ベアラがＭＣＧデータ無線ベアラであり、第２のタイプのデータ無線ベアラがＷＬＮ分離データ無線ベアラであり、しかも前記無線リソース制御接続再構成メッセージに基づいてユーザ装置に対して再構成を行うことが、前記無線リソース制御接続再構成メッセージ中に含まれる適応エンティティに関する構成情報に基づいて、適応エンティティに対して再構成を行うことと、もし前記無線リソース制御接続再構成メッセージ中に、パケットデータ収束プロトコルＰＤＣＰエンティティに関する構成情報を含むのであれば、ＰＤＣＰエンティティに対して再構成を行うことと、もし前記無線リソース制御接続再構成メッセージ中に、無線リンク制御ＲＬＣエンティティ及びＭＣＧ個別通信チャネルＤＴＣＨ論理チャネルに関する構成情報を含むのであれば、ＭＣＧ  ＲＬＣエンティティ及びＭＣＧ  ＤＴＣＨ論理チャネルに対して再構成を行うことと、を含む。
【００１２】
一つの実施例において、第１のタイプのデータ無線ベアラがＭＣＧデータ無線ベアラであり、第２のタイプのデータ無線ベアラがＷＬＮ分離データ無線ベアラであり、しかも前記無線リソース制御接続再構成メッセージに基づいてユーザ装置に対して再構成を行うことが、前記無線リソース制御接続再構成メッセージ中に含まれる適応エンティティに関する構成情報に基づいて、適応エンティティを確立することと、もし前記無線リソース制御接続再構成メッセージ中に、パケットデータ収束プロトコルＰＤＣＰエンティティに関する構成情報を含むのであれば、ＰＤＣＰエンティティに対して再構成を行うことと、もし前記無線リソース制御接続再構成メッセージ中に、無線リンク制御ＲＬＣエンティティ及びＭＣＧ個別通信チャネルＤＴＣＨ論理チャネルに関する構成情報を含むのであれば、ＭＣＧ  ＲＬＣエンティティ及びＭＣＧ  ＤＴＣＨ論理チャネルに対して再構成を行うことと、を含む。
【００１３】
一つの実施例において、第１のタイプのデータ無線ベアラがＷＬＮ分離データ無線ベアラであり、第２のタイプのデータ無線ベアラがＭＣＧデータ無線ベアラであり、しかも前記無線リソース制御接続再構成メッセージに基づいてユーザ装置に対して再構成を行うことが、もし前記無線リソース制御接続再構成メッセージ中に、パケットデータ収束プロトコルＰＤＣＰエンティティに関する構成情報を含むのであれば、ＰＤＣＰエンティティに対して再構成を行うことと、もし前記無線リソース制御接続再構成メッセージ中に、無線リンク制御ＲＬＣエンティティ及びＭＣＧ個別通信チャネルＤＴＣＨ論理チャネルに関する構成情報を含むのであれば、ＭＣＧ  ＲＬＣエンティティ及びＭＣＧ  ＤＴＣＨ論理チャネルに対して再構成を行うことと、前記無線リソース制御接続再構成メッセージ中に含まれる適応エンティティに関する構成情報に基づいて、適応エンティティに対して再構成を行うことと、を含む。
【００１４】
一つの実施例において、第１のタイプのデータ無線ベアラがＷＬＮ分離データ無線ベアラであり、第２のタイプのデータ無線ベアラがＭＣＧデータ無線ベアラであり、しかも前記無線リソース制御接続再構成メッセージに基づいてユーザ装置に対して再構成を行うことが、もし前記無線リソース制御接続再構成メッセージ中に、パケットデータ収束プロトコルＰＤＣＰエンティティに関する構成情報を含むのであれば、ＰＤＣＰエンティティに対して再構成を行うことと、もし前記無線リソース制御接続再構成メッセージ中に、無線リンク制御ＲＬＣエンティティ及びＭＣＧ個別通信チャネルＤＴＣＨ論理チャネルに関する構成情報を含むのであれば、ＭＣＧ  ＲＬＣエンティティ及びＭＣＧ  ＤＴＣＨ論理チャネルに対して再構成を行うことと、適応エンティティをリリースすることと、を含む。
【００１５】
一つの実施例において、第１のタイプのデータ無線ベアラがＷＬＮ分離データ無線ベアラであり、第２のタイプのデータ無線ベアラがＷＬＮ不可分データ無線ベアラであり、しかも前記無線リソース制御接続再構成メッセージに基づいてユーザ装置に対して再構成を行うことが、ＭＣＧ  ＲＬＣエンティティ及びＭＣＧ  ＤＴＣＨ論理チャネルをリリースすることと、もし前記無線リソース制御接続再構成メッセージ中に、パケットデータ収束プロトコルＰＤＣＰエンティティに関する構成情報を含むのであれば、ＰＤＣＰエンティティに対して再構成を行うことと、もし前記無線リソース制御接続再構成メッセージ中に適応エンティティに関する構成情報を含むのであれば、適応エンティティに対して再構成を行うことと、を含む。
【００１６】
一つの実施例において、該方法は更にＰＤＣＰエンティティを再構築することを含む。
【００１７】
一つの実施例において、ユーザ装置にＲＲＣシグナリングを送信することにより、ＰＤＣＰエンティティを再構築するか否かを決定する。
【００１８】
一つの実施例において、前記指示情報がｄｒｂ−ＴｏＡｄｄＭｏｄＬｉｓ  ｉｎｆｏｒｍａｔｉｏｎ  ｅｌｅｍｅｎｔ中に携帯するｄｒｂ−ＴｙｐｅＣｈａｎｇＷＬＮ  ｉｎｆｏｒｍａｔｉｏｎ  ｅｌｅｍｅｎｔ及びｄｒｂ−ＴｏＡｄｄＭｏｄＬｉｓｔＷＬＮ  ｉｎｆｏｒｍａｔｉｏｎ  ｅｌｅｍｅｎｔ中に携帯するｄｒｂ−ＴｙｐｅＷＬＮ  ｉｎｆｏｒｍａｔｉｏｎ  ｅｌｅｍｅｎｔを含み、前記ｄｒｂ−ＴｏＡｄｄＭｏｄＬｉｓｔ  ｉｎｆｏｒｍａｔｉｏｎ  ｅｌｅｍｅｎｔは増加又は修正が必要となる一組のデータ無線ベアラであり、前記ｄｒｂ−ＴｙｐｅＣｈａｎｇＷＬＮ  ｉｎｆｏｒｍａｔｉｏｎ  ｅｌｅｍｅｎｔは、ＷＬＮ分離データ無線ベアラ又はＷＬＮ不可分データ無線ベアラをＭＣＧデータ無線ベアラとして再構成するか否かを指示するためのものであり、前記ｄｒｂ−ＴｏＡｄｄＭｏｄＬｉｓｔＷＬＮ  ｉｎｆｏｒｍａｔｉｏｎ  ｅｌｅｍｅｎｔは増加又は修正が必要となるＷＬＮデータ無線ベアラであり、前記ｄｒｂ−ＴｙｐｅＷＬＮ  ｉｎｆｏｒｍａｔｉｏｎ  ｅｌｅｍｅｎｔは対応するデータ無線ベアラのタイプを示している。好ましくは、ｄｒｂ−ＴｙｐｅＷＬＮ  ｉｎｆｏｒｍａｔｉｏｎ  ｅｌｅｍｅｎｔの値及びｄｒｂ−ＴｙｐｅＷＬＮ  ｉｎｆｏｒｍａｔｉｏｎ  ｅｌｅｍｅｎｔが対応するデータ無線ベアラがｄｒｂ−ＴｏＡｄｄＭｏｄＬｉｓｔ  ｉｎｆｏｒｍａｔｉｏｎ  ｅｌｅｍｅｎｔ及びｄｒｂ−ＴｏＡｄｄＭｏｄＬｉｓｔＷＬＮ  ｉｎｆｏｒｍａｔｉｏｎ  ｅｌｅｍｅｎｔ中に含まれるか否かに基づいて、ＭＣＧデータ無線ベアラをＷＬＮ分離データ無線ベアラとして再構成するか、又はＷＬＮ分離データ無線ベアラをＭＣＧデータ無線ベアラとして再構成するか、又はＷＬＮ分離データ無線ベアラをＷＬＮ不可分データ無線ベアラとして再構成するか否かを決定する。
【００１９】
本発明の一つの態様によれば、無線リソース制御接続再構成メッセージを受信するように構成される受信ユニットと、受信した無線リソース制御接続再構成メッセージ中に、ユーザ装置が第１のタイプのデータ無線ベアラを第１のタイプとは異なる第２のタイプのデータ無線ベアラとして再構成することを指示する指示情報を含むか否かを決定するように構成される決定ユニットと、もし受信した無線リソース制御接続再構成メッセージ中に指示情報が含まれるのであれば、前記無線リソース制御接続再構成メッセージに基づいてユーザ装置に対して再構成を行うように構成される再構成ユニットと、を備え、第１のタイプのデータ無線ベアラはマスターセルグループＭＣＧデータ無線ベアラ又はワイヤレスローカルエリアネットワークＷＬＮ分離データ無線ベアラを含み、第２のタイプのデータ無線ベアラはＭＣＧデータ無線ベアラ、ＷＬＮ分離データ無線ベアラ又はＷＬＮ不可分データ無線ベアラを含む、ユーザ装置を提供する。
【００２０】
一つの実施例において、第１のユーザタイプのデータ無線ベアラがＭＣＧデータ無線ベアラであり、第２のタイプのデータ無線ベアラがＷＬＮ分離データ無線ベアラであり、前記再構成ユニットが、前記無線リソース制御接続再構成メッセージ中に含まれる適応エンティティに関する構成情報に基づいて、適応エンティティに対して再構成を行い、もし前記無線リソース制御接続再構成メッセージ中に、パケットデータ収束プロトコルＰＤＣＰエンティティに関する構成情報を含むのであれば、ＰＤＣＰエンティティに対して再構成を行い、もし前記無線リソース制御接続再構成メッセージ中に、無線リンク制御ＲＬＣエンティティ及びＭＣＧ個別通信チャネルＤＴＣＨ論理チャネルに関する構成情報を含むのであれば、ＭＣＧ  ＲＬＣエンティティ及びＭＣＧ  ＤＴＣＨ論理チャネルに対して再構成を行う、ように構成される。
【００２１】
一つの実施例において、第１のユーザタイプのデータ無線ベアラがＭＣＧデータ無線ベアラであり、第２のタイプのデータ無線ベアラがＷＬＮ分離データ無線ベアラであり、前記再構成ユニットが、前記無線リソース制御接続再構成メッセージ中に含まれる適応エンティティに関する構成情報に基づいて、適応エンティティを確立し、もし前記無線リソース制御接続再構成メッセージ中に、パケットデータ収束プロトコルＰＤＣＰエンティティに関する構成情報を含むのであれば、ＰＤＣＰエンティティに対して再構成を行い、もし前記無線リソース制御接続再構成メッセージ中に、無線リンク制御ＲＬＣエンティティ及びＭＣＧ個別通信チャネルＤＴＣＨ論理チャネルに関する構成情報を含むのであれば、ＭＣＧ  ＲＬＣエンティティ及びＭＣＧ  ＤＴＣＨ論理チャネルに対して再構成を行う、ように構成される。
【００２２】
一つの実施例において、第１のユーザタイプのデータ無線ベアラがＷＬＮ分離データ無線ベアラであり、第２のタイプのデータ無線ベアラがＭＣＧデータ無線ベアラであり、前記再構成ユニットが、もし前記無線リソース制御接続再構成メッセージ中に、パケットデータ収束プロトコルＰＤＣＰエンティティに関する構成情報を含むのであれば、ＰＤＣＰエンティティに対して再構成を行い、もし前記無線リソース制御接続再構成メッセージ中に、無線リンク制御ＲＬＣエンティティ及びＭＣＧ個別通信チャネルＤＴＣＨ論理チャネルに関する構成情報を含むのであれば、ＭＣＧ  ＲＬＣエンティティ及びＭＣＧ  ＤＴＣＨ論理チャネルに対して再構成を行い、前記無線リソース制御接続再構成メッセージ中に含まれる適応エンティティに関する構成情報に基づいて、適応エンティティに対して再構成を行う、ように構成される。
【００２３】
一つの実施例において、第１のユーザタイプのデータ無線ベアラがＷＬＮ分離データ無線ベアラであり、第２のタイプのデータ無線ベアラがＭＣＧデータ無線ベアラであり、前記再構成ユニットが、もし前記無線リソース制御接続再構成メッセージ中に、パケットデータ収束プロトコルＰＤＣＰエンティティに関する構成情報を含むのであれば、ＰＤＣＰエンティティに対して再構成を行い、もし前記無線リソース制御接続再構成メッセージ中に、無線リンク制御ＲＬＣエンティティ及びＭＣＧ個別通信チャネルＤＴＣＨ論理チャネルに関する構成情報を含むのであれば、ＭＣＧ  ＲＬＣエンティティ及びＭＣＧ  ＤＴＣＨ論理チャネルに対して再構成を行って、適応エンティティをリリースする、ように構成される。
【００２４】
一つの実施例において、第１のユーザタイプのデータ無線ベアラがＷＬＮ分離データ無線ベアラであり、第２のタイプのデータ無線ベアラがＷＬＮ不可分データ無線ベアラであり、前記再構成ユニットが、ＭＣＧ  ＲＬＣエンティティ及びＭＣＧ  ＤＴＣＨ論理チャネルをリリースし、もし前記無線リソース制御接続再構成メッセージ中に、パケットデータ収束プロトコルＰＤＣＰエンティティに関する構成情報を含むのであれば、ＰＤＣＰエンティティに対して再構成を行い、もし前記無線リソース制御接続再構成メッセージ中に適応エンティティに関する構成情報を含むのであれば、適応エンティティに対して再構成を行う、ように構成される。
【００２５】
一つの実施例において、該ユーザ装置は、ＰＤＣＰエンティティを再構築するように構成される再構築ユニットを更に備える。
【００２６】
一つの実施例において、ユーザ装置にＲＲＣシグナリングを送信することにより、ＰＤＣＰエンティティを再構築するか否かを決定する。
【００２７】
一つの実施例において、前記指示情報がｄｒｂ−ＴｏＡｄｄＭｏｄＬｉｓｔ  ｉｎｆｏｒｍａｔｉｏｎ  ｅｌｅｍｅｎｔ中に携帯するｄｒｂ−ＴｙｐｅＣｈａｎｇＷＬＮ  ｉｎｆｏｒｍａｔｉｏｎ  ｅｌｅｍｅｎｔ及びｄｒｂ−ＴｏＡｄｄＭｏｄＬｉｓｔＷＬＮ  ｉｎｆｏｒｍａｔｉｏｎ  ｅｌｅｍｅｎｔ中に携帯するｄｒｂ−ＴｙｐｅＷＬＮ  ｉｎｆｏｒｍａｔｉｏｎ  ｅｌｅｍｅｎｔを含み、前記ｄｒｂ−ＴｏＡｄｄＭｏｄＬｉｓｔ  ｉｎｆｏｒｍａｔｉｏｎ  ｅｌｅｍｅｎｔは増加又は修正が必要となる一組のデータ無線ベアラであり、前記ｄｒｂ−ＴｙｐｅＣｈａｎｇＷＬＮ  ｉｎｆｏｒｍａｔｉｏｎ  ｅｌｅｍｅｎｔは、ＷＬＮ分離データ無線ベアラ又はＷＬＮ不可分データ無線ベアラをＭＣＧデータ無線ベアラとして再構成するか否かを指示するためのものであり、前記ｄｒｂ−ＴｏＡｄｄＭｏｄＬｉｓｔＷＬＮ  ｉｎｆｏｒｍａｔｉｏｎ  ｅｌｅｍｅｎｔは増加又は修正が必要となるＷＬＮデータ無線ベアラであり、前記  ｉｎｆｏｒｍａｔｉｏｎ  ｅｌｅｍｅｎｔＴｙｐｅＷＬＮ  ｉｎｆｏｒｍａｔｉｏｎ  ｅｌｅｍｅｎｔは対応するデータ無線ベアラのタイプを示している。好ましくは、ｄｒｂ−ＴｙｐｅＷＬＮ  ｉｎｆｏｒｍａｔｉｏｎ  ｅｌｅｍｅｎｔの値及びｄｒｂ−ＴｙｐｅＷＬＮ  ｉｎｆｏｒｍａｔｉｏｎ  ｅｌｅｍｅｎｔが対応するデータ無線ベアラがｄｒｂ−ＴｏＡｄｄＭｏｄＬｉｓｔ  ｉｎｆｏｒｍａｔｉｏｎ  ｅｌｅｍｅｎｔ及びｄｒｂ−ＴｏＡｄｄＭｏｄＬｉｓｔＷＬＮ  ｉｎｆｏｒｍａｔｉｏｎ  ｅｌｅｍｅｎｔ中に含まれるか否かに基づいて、ＭＣＧデータ無線ベアラをＷＬＮ分離データ無線ベアラとして再構成するか、又はＷＬＮ分離データ無線ベアラをＭＣＧデータ無線ベアラとして再構成するか、又はＷＬＮ分離データ無線ベアラをＷＬＮ不可分データ無線ベアラとして再構成するか否かを決定する。
【図面の簡単な説明】
【００２８】
下記にて図面を合わせた説明を通じて、本発明の上記及びその他特徴はより明確になる、このうち、
【図１】ＬＴＥ−ＷＬＮ統合及び相互運用性でオプション２Ｃを配置する概略図である。
【図２】ＬＴＥ−ＷＬＮ統合及び相互運用性でオプション３Ｃを配置する概略図である。
【図３】本発明の実施例が提供するＭＣＧ  ＤＲＢをＷＬＮ分離ＤＲＢとして再構成する方法の手順概略図である。
【図４】本発明の実施例が提供するＭＣＧ  ＤＲＢをＷＬＮ不可分ＤＲＢとして再構成する方法のフローチャートである。
【図５】本発明の実施例が提供するＷＬＮ分離ＤＲＢをＭＣＧ  ＤＲＢとして再構成する方法のフローチャートである。
【図６】本発明の実施例が提供するＷＬＮ分離ＤＲＢをＷＬＮ不可分ＤＲＢとして再構成する方法のフローチャートである。
【図７】本発明の実施例が提供するＷＬＮ不可分ＤＲＢをＭＣＧ  ＤＲＢとして再構成する方法のフローチャートである。
【図８】本発明の実施例が提供するＷＬＮ不可分ＤＲＢをＷＬＮ分離ＤＲＢとして再構成する方法のフローチャートである。
【図９】本発明の実施例が提供するＲＲＣ接続構成メッセージ中にて、ユーザ装置が一つのタイプのデータ無線ベアラを他のタイプのデータ無線ベアラとして再構成することを指示するための指示情報を携帯する方法のフローチャートである。
【図１０】本発明の実施例が提供する他のＲＲＣ接続構成メッセージ中にて、ユーザ装置が一つのタイプのデータ無線ベアラを他のタイプのデータ無線ベアラとして再構成することを指示するための指示情報を携帯する方法のフローチャートである。
【図１１】本発明の実施例に係るユーザ装置を示したブロック図である。
【発明を実施するための形態】
【００２９】
以下にて、図面を結合して本発明の具体的な実施例を記述することで、本発明の原理及び実現形態が明確になる。注意すべきは、本発明は下記する具体的な実施例に限定されるべきではないということである。また、簡素化するために、本発明にとって直接な関連性のない公知技術の詳細な説明は省略することで、本発明に対する理解への混乱を防止する。
【００３０】
以下にてＬＴＥ  Ｒｅｌ−１３移動通信システムおよびその後続の発展型リリースを例示的な応用環境とするものであって、本発明に係る複数の実施例を具体的に記述する。しかしながら、指摘しておくべきは、本発明は以下の実施例に限定されるものではなく、その他無線通信システムの多くに、例えば今後の５Ｇセルラー通信システムに応用することができる。また、ここでは単に主の基地局及び一つのＷＬＮが協働してユーザ装置に通信サービスを提供する状況に対してのみ本発明の技術手法の実現例を記述しているが、当業者は、本発明の技術手法は同様に主の基地局及び一つ以上のＷＬＮが協働してユーザ装置に通信サービスを提供する状況に適用するということに着想が至るものである。
【００３１】
ＬＴＥシステムにおいて、ユーザ装置は受信したＲＲＣ接続再構成（RRCConnectionReconfiguration）メッセージに基づいて、データ無線ベアラの増加（確立）及び再構成手順を行う。前記ＲＲＣＣｏｎｎｅｃｔｉｏｎＲｅｃｏｎｆｉｇｕｒａｔｉｏｎメッセージは主に、ベアラ（ＲＢ）の確立／修正／リリース（ＲＢ）、切換え実行、確立／修正／リリース測定等に用いられる。前記無線ベアラはシグナリング無線ベアラ（ＳＲＢ）及びデータ無線ベアラ（ＤＲＢ）を含む。前記データ無線ベアラはＭＣＧ  ＤＲＢ、分離ＤＲＢ（３ＧＰＰリリース１２にて記述する二重接続オプション３Ｃの無線ベアラ）、ＳＣＧ  ＤＲＢ（３ＧＰＰリリース１２にて記述する二重接続オプション１Ａの無線ベアラ）、ＷＬＮ分離ＤＲＢ及びＷＬＮ不可分ＤＲＢ等のユーザデータ送信用の無線ベアラを含む。
【００３２】
以下、本文に係るＲＲＣＣｏｎｎｅｃｔｉｏｎＲｅｃｏｎｆｉｇｕｒａｔｉｏｎメッセージ中に含まれるパラメータの意味を統一して説明する。また、本文にて言及するパラメータがもし３ＧＰＰ  ＴＳ３６．３３１におけるものと同じく命名するならば、これが表す意味及びセル間の包括関係も３ＧＰＰ  ＴＳ３６．３３１におけるものと同じである。
【００３３】
ｄｒｂ−ＴｏＡｄｄＭｏｄＬｉｓｔＷＬＮ  ｉｎｆｏｒｍａｔｉｏｎ  ｅｌｅｍｅｎｔ：増加又は修正が必要となる一組のＷＬＮ  ＤＲＢ。
ｄｒｂ−ＴｏＡｄｄＭｏｄＬｉｓｔ  ｉｎｆｏｒｍａｔｉｏｎ  ｅｌｅｍｅｎｔ：増加又は修正が必要となる一組の  ＤＲＢ。
Ａｄａｐｔａｔｉｏｎ−Ｃｏｎｆｉｇ  ｉｎｆｏｒｍａｔｉｏｎ  ｅｌｅｍｅｎｔ：ＷＬＮ  ＤＲＢが対応する適応エンティティを構成するのに用いる構成可能パラメータを含む。
ｐｄｃｐ−Ｃｏｎｆｉｇ  ｉｎｆｏｒｍａｔｉｏｎ  ｅｌｅｍｅｎｔ：ＤＲＢの構成可能なＰＤＣＰパラメータを含む。
ｄｒｂ−Ｉｄｅｎｔｉｔｙ  ｉｎｆｏｒｍａｔｉｏｎ  ｅｌｅｍｅｎｔ：データ無線ベアラＩＤ。
ｒｌｃ−Ｃｏｎｆｉｇ  ｉｎｆｏｒｍａｔｉｏｎ  ｅｌｅｍｅｎｔ：ＳＲＢ及びＤＲＢが対応するＲＬＣエンティティの構成情報を含む。
ｌｏｇｉｃａｌＣｈａｎｎｅｌＩｄｅｎｔｉｔｙ  ｉｎｆｏｒｍａｔｉｏｎ  ｅｌｅｍｅｎｔ：論理チャネルＩＤ。
ｌｏｇｉｃａｌＣｈａｎｎｅｌＣｏｎｆｉｇ  ｉｎｆｏｒｍａｔｉｏｎ  ｅｌｅｍｅｎｔ：論理チャネルを構成するためのパラメータを含む。
【００３４】
図３が示すものはＭＣＧ  ＤＲＢをＷＬＮ分離ＤＲＢとして再構成する方法のフローチャートである。図３に示す方法は以下のステップを含む：
ステップ３０１：ユーザ装置がＲＲＣＣｏｎｎｅｃｔｉｏｎＲｅｃｏｎｆｉｇｕｒａｔｉｏｎメッセージを受信して、前記メッセージ中に、ユーザ装置がＭＣＧ  ＤＲＢをＷＬＮ分離ＤＲＢとして再構成することを指示するための指示情報を携帯しているか否かを判断する。もしＹＥＳであれば、ＷＬＮ  ＤＲＢと適応エンティティとの間の対応関係に基づいてステップ３０２ａ又はステップ３０２ｂを実行し。ＮＯであれば、終了する。
【００３５】
もしＷＬＮ  ＤＲＢと適応エンティティとの間に多数対一のマッピング関係が存在するのであれば、ステップ３０２ａを実行する。もしＷＬＮ  ＤＲＢと適応エンティティとの間に一対一のマッピング関係が存在するのであれば、ステップ３０２ｂを実行する。
【００３６】
ステップ３０２ａ：ユーザがｄｒｂ−ＴｏＡｄｄＭｏｄＬｉｓｔＷＬＮ中に携帯するＡｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。
【００３７】
選択可能に、もし前記ＷＬＮ中に適応エンティティがなければ、ＭＣＧ  ＤＲＢにより再構成したＷＬＮ分離ＤＲＢが適応エンティティの第１のＷＬＮ  ＤＲＢであり、適応エンティティを確立する。
【００３８】
ステップ３０２ｂ：ユーザがｄｒｂ−ＴｏＡｄｄＭｏｄＬｉｓｔＷＬＮ中に携帯するＡｄａｐｔａｔｉｏｎ−Ｃｏｎｆｉｇ  ｉｎｆｏｒｍａｔｉｏｎ  ｅｌｅｍｅｎｔに基づいて適応エンティティを確立する。
【００３９】
ステップ３０３：もしｄｒｂ−ＴｏＡｄｄＭｏｄＬｉｓｔ中に携帯するｐｄｃｐ−Ｃｏｎｆｉｇ  ｉｎｆｏｒｍａｔｉｏｎ  ｅｌｅｍｅｎｔあれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。
【００４０】
ステップ３０４：もしｄｒｂ−ＴｏＡｄｄＭｏｄＬｉｓｔ中にｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔを携帯しているのであれば、前記ｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔに基づいてＭＣＧ  ＲＬＣエンティティ及びＭＣＧ  ＤＴＣＨ論理チャネルを再構成する。
【００４１】
説明すべきは、ステップ３０２ａ（又は３０２ｂ）、ステップ３０３、ステップ３０４の実行順序は任意変更可能であるということである。
【００４２】
選択可能に、ユーザ装置がＭＣＧ  ＤＲＢをＷＬＮ分離ＤＲＢとして再構成したとき、ＰＤＣＰエンティティ及びＲＬＣエンティティを再構築（re-establish）するとともに、ＰＤＣＰステータスリポート（PDCP status report）を送信する。選択可能に、ＲＲＣシグナリングにより、ユーザ装置がＭＣＧ  ＤＲＢをＷＬＮ分離ＤＲＢとして再構成する時に、ＰＤＣＰエンティティ及びＲＬＣエンティティを再構築するとともにＰＤＣＰステータスリポートを送信するか否かを構成することができる。
【００４３】
図４が示すものはＭＣＧ  ＤＲＢをＷＬＮ不可分ＤＲＢとして再構成する方法の手順概略図である。図４に示す方法は以下のステップを含む：
ステップ４０１：ユーザ装置がＲＲＣＣｏｎｎｅｃｔｉｏｎＲｅｃｏｎｆｉｇｕｒａｔｉｏｎメッセージを受信して、前記メッセージ中に、ユーザ装置がＭＣＧ  ＤＲＢをＷＬＮ不可分ＤＲＢとして再構成することを指示するための指示情報を携帯しているか否かを判断する。もしＹＥＳであれば、ＷＬＮ  ＤＲＢと適応エンティティとの間の対応関係に基づいてステップ４０２ａ又はステップ４０２ｂを実行し、ＮＯであれば、終了する。
【００４４】
もしＷＬＮ  ＤＲＢと適応エンティティとの間に多数対一のマッピング関係が存在するのであれば、ステップ４０２ａを実行する。もしＷＬＮ  ＤＲＢと適応エンティティとの間に一対一のマッピング関係が存在するのであれば、ステップ４０２ｂを実行する。
【００４５】
ステップ４０２ａ：ユーザはｄｒｂ−ＴｏＡｄｄＭｏｄＬｉｓｔＷＬＮ中に携帯するＡｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。
【００４６】
選択可能に、もし前記ＷＬＮ中に適応エンティティがなければ、ＭＣＧ  ＤＲＢにより再構成したＷＬＮ不可分ＤＲＢが適応エンティティの第１のＷＬＮ  ＤＲＢであり、適応エンティティを確立する。
【００４７】
ステップ４０２ｂ：ユーザはｄｒｂ−ＴｏＡｄｄＭｏｄＬｉｓｔＷＬＮ中に携帯するＡｄａｐｔａｔｉｏｎ−Ｃｏｎｆｉｇ  ｉｎｆｏｒｍａｔｉｏｎ  ｅｌｅｍｅｎｔに基づいて適応エンティティを確立する。
【００４８】
ステップ４０３：もしｄｒｂ−ＴｏＡｄｄＭｏｄＬｉｓｔ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。
【００４９】
ステップ４０４：ＭＣＧ  ＲＬＣエンティティ及びＭＣＧ  ＤＴＣＨ論理チャネルをリリースする。
【００５０】
説明すべきは、ステップ４０２ａ（又は４０２ｂ）、ステップ４０３、ステップ４０４の実行順序は任意変更可能であるということである。
【００５１】
選択可能に、ユーザ装置がＭＣＧ  ＤＲＢをＷＬＮ不可分ＤＲＢとして再構成する時に、ＰＤＣＰエンティティを再構築するとともにＰＤＣＰステータスリポートを送信する。選択可能に、ＲＲＣシグナリングにより、ユーザ装置がＭＣＧ  ＤＲＢをＷＬＮ分離ＤＲＢとして再構成する時に、ＰＤＣＰエンティティを再構築するとともにＰＤＣＰステータスリポートを送信するか否かを構成することができる。
【００５２】
図５に示すものはＷＬＮ分離ＤＲＢをＭＣＧ  ＤＲＢとして再構成する方法の手順概略図である。図５に示す方法は以下のステップを含む：
ステップ５０１：ユーザ装置がＲＲＣＣｏｎｎｅｃｔｉｏｎＲｅｃｏｎｆｉｇｕｒａｔｉｏｎメッセージを受信して、前記メッセージ中に、ユーザ装置がＷＬＮ分離ＤＲＢをＭＣＧ  ＤＲＢとして再構成することを指示するための指示情報を携帯しているか否かを判断する。もしＹＥＳであれば、ＷＬＮ  ＤＲＢと適応エンティティとの間の対応関係に基づいてステップ５０２ａ又はステップ５０２ｂを実行し、ＮＯであれば、終了する。
【００５３】
もしＷＬＮ  ＤＲＢと適応エンティティとの間に多数対一のマッピング関係が存在するのであれば、ステップ５０２ａを実行する。もしＷＬＮ  ＤＲＢと適応エンティティとの間に一対一のマッピング関係が存在するのであれば、ステップ５０２ｂを実行する。
【００５４】
ステップ５０２ａ：もしｄｒｂ−ＴｏＡｄｄＭｏｄＬｉｓｔＷＬＮ中にＡｄａｐｔａｔｉｏｎ−Ｃｏｎｆｉｇ  ｉｎｆｏｒｍａｔｉｏｎ  ｅｌｅｍｅｎｔを携帯しているのであれば、前記Ａｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。
【００５５】
選択可能に、もしＷＬＮ分離ＤＲＢをＭＣＧ  ＤＲＢとして再構成した後、適応エンティティ中にその他ＷＬＮ  ＤＲＢがなければ、適応エンティティをリリースする。
【００５６】
ステップ５０２ｂ：適応エンティティをリリースして、ＷＬＮ中でＭＣＧ  ＤＲＢとして再構成したＷＬＮ分離ＤＲＢに関する情報をリリースする。
【００５７】
ステップ５０３：もしｄｒｂ−ＴｏＡｄｄＭｏｄＬｉｓｔ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。
【００５８】
ステップ５０４：もしｄｒｂ−ＴｏＡｄｄＭｏｄＬｉｓｔ中にｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔを携帯しているのであれば、前記ｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔに基づいてＭＣＧ  ＲＬＣエンティティ及びＭＣＧ  ＤＴＣＨ論理チャネルを再構成する。
【００５９】
説明すべきは、ステップ５０２ａ（又は５０２ｂ）、ステップ５０３、ステップ５０４の実行順序は任意変更可能であるということである。
【００６０】
選択可能に、ユーザ装置がＷＬＮ分離ＤＲＢをＭＣＧ  ＤＲＢとして再構成する時に、ＰＤＣＰエンティティを再構築するとともにＰＤＣＰステータスリポートを送信する。選択可能に、ＲＲＣシグナリングにより、ユーザ装置がＭＣＧ  ＤＲＢをＷＬＮ分離ＤＲＢとして再構成する時に、ＰＤＣＰエンティティを再構築するとともにＰＤＣＰステータスリポートを送信するか否かを構成することができる。
【００６１】
図６が示すものはＷＬＮ分離ＤＲＢをＷＬＮ不可分ＤＲＢとして再構成する方法の手順概略図である。図６に示す方法は以下のステップを含む：
ステップ６０１：ユーザ装置がＲＲＣＣｏｎｎｅｃｔｉｏｎＲｅｃｏｎｆｉｇｕｒａｔｉｏｎメッセージを受信して、前記メッセージ中に、ユーザ装置がＷＬＮ分離ＤＲＢをＷＬＮ不可分ＤＲＢとして再構成することを指示するための指示情報を携帯しているか否かを判断する。もしＹＥＳであれば、ステップ６０２を実行し、ＮＯであれば、終了する。
【００６２】
ステップ６０２：もしｄｒｂ−ＴｏＡｄｄＭｏｄＬｉｓｔＷＬＮ中にＡｄａｐｔａｔｉｏｎ−Ｃｏｎｆｉｇ  ｉｎｆｏｒｍａｔｉｏｎ  ｅｌｅｍｅｎｔを携帯しているのであれば、前記Ａｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。
【００６３】
ステップ６０３：もしｄｒｂ−ＴｏＡｄｄＭｏｄＬｉｓｔ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。
【００６４】
ステップ６０４：ＭＣＧ  ＲＬＣエンティティ及びＭＣＧ  ＤＴＣＨ論理チャネルをリリースする。
【００６５】
説明すべきは、ステップ６０２、ステップ６０３、ステップ６０４の実行順序は任意変更可能であるということである。
【００６６】
選択可能に、ユーザ装置がＷＬＮ分離ＤＲＢをＷＬＮ不可分ＤＲＢとして再構成する時に、ＰＤＣＰエンティティを再構築するとともにＰＤＣＰステータスリポートを送信する。選択可能に、ＲＲＣシグナリングにより、ユーザ装置がＭＣＧ  ＤＲＢをＷＬＮ分離ＤＲＢとして再構成する時に、ＰＤＣＰエンティティを再構築するとともにＰＤＣＰステータスリポートを送信するか否かを構成することができる。
【００６７】
図７に示すものはＷＬＮ不可分ＤＲＢをＭＣＧ  ＤＲＢとして再構成する方法の手順概略図である。図７に示す方法は以下のステップを含む：
ステップ７０１：ユーザ装置がＲＲＣＣｏｎｎｅｃｔｉｏｎＲｅｃｏｎｆｉｇｕｒａｔｉｏｎメッセージを受信して、前記メッセージ中に、ユーザ装置がＷＬＮ不可分ＤＲＢをＭＣＧ  ＤＲＢをとして再構成することを指示するための指示情報を携帯しているか否かを判断する。もしＹＥＳであれば、ＷＬＮ  ＤＲＢと適応エンティティとの間の対応関係に基づいてステップ７０２ａ又はステップ７０２ｂを実行し、ＮＯであれば、終了する。
【００６８】
もしＷＬＮ  ＤＲＢと適応エンティティとの間に多数対一のマッピング関係が存在するのであれば、ステップ７０２ａを実行する。もしＷＬＮ  ＤＲＢと適応エンティティとの間に一対一のマッピング関係が存在するのであれば、ステップ７０２ｂを実行する。
【００６９】
ステップ７０２ａ：もしｄｒｂ−ＴｏＡｄｄＭｏｄＬｉｓｔＷＬＮ中にＡｄａｐｔａｔｉｏｎ−Ｃｏｎｆｉｇ  ｉｎｆｏｒｍａｔｉｏｎ  ｅｌｅｍｅｎｔを携帯しているのであれば、前記Ａｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。
【００７０】
選択可能に、もしＷＬＮ不可分ＤＲＢをＭＣＧ  ＤＲＢとして再構成した後、適応エンティティ中にその他ＷＬＮ  ＤＲＢがなければ、適応エンティティをリリースする。
【００７１】
ステップ７０２ｂ：適応エンティティをリリースして、ＷＬＮ中でＭＣＧ  ＤＲＢとして再構成したＷＬＮ不可分ＤＲＢに関する情報をリリースする。
【００７２】
ステップ７０３：もしｄｒｂ−ＴｏＡｄｄＭｏｄＬｉｓｔ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。
【００７３】
ステップ７０４：ｄｒｂ−ＴｏＡｄｄＭｏｄＬｉｓｔ中にｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔを携帯しているものに基づいてＭＣＧ  ＲＬＣエンティティ及びＭＣＧ  ＤＴＣＨ論理チャネルを確立する。
【００７４】
説明すべきは、ステップ７０２ａ（又は７０２ｂ）、ステップ７０３、ステップ７０４の実行順序は任意変更可能であるということである。
【００７５】
選択可能に、ユーザ装置がＷＬＮ不可分ＤＲＢをＭＣＧ  ＤＲＢとして再構成する時に、ＰＤＣＰエンティティを再構築するとともにＰＤＣＰステータスリポートを送信する。選択可能に、ＲＲＣシグナリングにより、ユーザ装置がＭＣＧ  ＤＲＢをＷＬＮ分離ＤＲＢとして再構成する時に、ＰＤＣＰエンティティを再構築するとともにＰＤＣＰステータスリポートを送信するか否かを構成することができる。
【００７６】
図８が示すものはＷＬＮ不可分ＤＲＢをＷＬＮ分離ＤＲＢとして再構成する方法の手順概略図である。図８に示す方法は以下のステップを含む：
ステップ８０１：ユーザ装置がＲＲＣＣｏｎｎｅｃｔｉｏｎＲｅｃｏｎｆｉｇｕｒａｔｉｏｎメッセージを受信して、前記メッセージ中に、ユーザ装置がＷＬＮ不可分ＤＲＢをＷＬＮ分離ＤＲＢをとして再構成することを指示するための指示情報を携帯しているか否かを判断する。もしＹＥＳであれば、ステップ８０２を実行し、ＮＯであれば、終了する。
【００７７】
ステップ８０２：もしｄｒｂ−ＴｏＡｄｄＭｏｄＬｉｓｔＷＬＮ中にＡｄａｐｔａｔｉｏｎ−Ｃｏｎｆｉｇ  ｉｎｆｏｒｍａｔｉｏｎ  ｅｌｅｍｅｎｔを携帯しているのであれば、前記Ａｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。
【００７８】
ステップ８０３：もしｄｒｂ−ＴｏＡｄｄＭｏｄＬｉｓｔ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。
【００７９】
ステップ８０４：ｄｒｂ−ＴｏＡｄｄＭｏｄＬｉｓｔ中にｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔを携帯しているものに基づいてＭＣＧ  ＲＬＣエンティティ及びＭＣＧ  ＤＴＣＨ論理チャネルを確立する。
【００８０】
説明すべきは、ステップ８０２ａ（又は８０２ｂ）、ステップ８０３、ステップ８０４の実行順序は任意変更可能であるということである。
【００８１】
選択可能に、ユーザ装置がＷＬＮ不可分ＤＲＢをＷＬＮ分離ＤＲＢとして再構成する時に、ＰＤＣＰエンティティを再構築するとともにＰＤＣＰステータスリポートを送信する。選択可能に、ＲＲＣシグナリングにより、ユーザ装置がＭＣＧ  ＤＲＢをＷＬＮ分離ＤＲＢとして再構成する時に、ＰＤＣＰエンティティを再構築するとともにＰＤＣＰステータスリポートを送信するか否かを構成することができる。
【００８２】
図９及び図１０にはそれぞれ、ＲＲＣ接続構成メッセージ中にて、ユーザ装置が一つのタイプのデータ無線ベアラを他のタイプのデータ無線ベアラとして再構成することを指示するための指示情報を携帯する二種類の方法のフローチャートを示している。前記データ無線ベアラは少なくとも、ＷＬＮ分離ＤＲＢ、ＷＬＮ不可分ＤＲＢ、ＭＣＧ  ＤＲＢを含む。図９及び図１０に示す方法にて、ユーザ装置はｄｒｂ−ＴｏＡｄｄＭｏｄＬｉｓｔ  ｉｎｆｏｒｍａｔｉｏｎ  ｅｌｅｍｅｎｔ中に携帯するｄｒｂ−ＴｙｐｅＣｈａｎｇＷＬＮ  ｉｎｆｏｒｍａｔｉｏｎ  ｅｌｅｍｅｎｔ、及びｄｒｂ−ＴｏＡｄｄＭｏｄＬｉｓｔＷＬＮ  ｉｎｆｏｒｍａｔｉｏｎ  ｅｌｅｍｅｎｔ中に携帯するｄｒｂ−ＴｙｐｅＷＬＮ  ｉｎｆｏｒｍａｔｉｏｎ  ｅｌｅｍｅｎｔに基づいて、あるタイプのデータ無線ベアラをその他タイプの意データ無線ベアラとして再構成するか否かを決定する。前記ｄｒｂ−ＴｙｐｅＣｈａｎｇＷＬＮ  ｉｎｆｏｒｍａｔｉｏｎ  ｅｌｅｍｅｎｔはＷＬＮ  ＤＲＢ（ＷＬＮ分離ＤＲＢ、ＷＬＮ不可分ＤＲＢを含む）をＭＣＧ  ＤＲＢとして再構成するか否かを指示するためのものである。前記ｄｒｂ−ＴｙｐｅＷＬＮ  ｉｎｆｏｒｍａｔｉｏｎ  ｅｌｅｍｅｎｔはＤＲＢに対応するタイプを表す。ユーザ装置が、ｄｒｂ−ＴｙｐｅＷＬＮ  ｉｎｆｏｒｍａｔｉｏｎ  ｅｌｅｍｅｎｔの値及び前記ｄｒｂ−ＴｙｐｅＷＬＮ  ｉｎｆｏｒｍａｔｉｏｎ  ｅｌｅｍｅｎｔが対応するＤＲＢがｄｒｂ−ＴｏＡｄｄＭｏｄＬｉｓｔ  ｉｎｆｏｒｍａｔｉｏｎ  ｅｌｅｍｅｎｔ及びｄｒｂ−ＴｏＡｄｄＭｏｄＬｉｓｔＷＬＮ  ｉｎｆｏｒｍａｔｉｏｎ  ｅｌｅｍｅｎｔ中に含まれるか否かに基づいて、ＭＣＧ  ＤＲＢをＷＬＮ  ＤＲＢとして再構成するか、又はＷＬＮ不可分ＤＲＢをＷＬＮ分離ＤＲＢとして再構成するか、又はＷＬＮ分離ＤＲＢをＷＬＮ不可分ＤＲＢとして再構成するか否かを決定する。本発明の実施例にて、ｄｒｂ−ＴｙｐｅＣｈａｎｇＷＬＮ  ｉｎｆｏｒｍａｔｉｏｎ  ｅｌｅｍｅｎｔの値は、ｔｏＭＣＧ（ＷＬＮ  ＤＲＢをＭＣＧ  ＤＲＢとして再構成する）を表す。ｄｒｂ−ＴｙｐｅＷＬＮ  ｉｎｆｏｒｍａｔｉｏｎ  ｅｌｅｍｅｎｔの値は、ＷＬＮｓｐｌｉｔ（対応するＤＲＢはＷＬＮ分離ＤＲＢであることを表す）、ＷＬＮｎｏｎｓｐｌｉｔ（対応するＤＲＢはＷＬＮ不可分ＤＲＢであることを表す）を表す。説明すべきは、ｄｒｂ−ＴｙｐｅＣｈａｎｇＷＬＮ  ｉｎｆｏｒｍａｔｉｏｎ  ｅｌｅｍｅｎｔ及びｄｒｂ−ＴｙｐｅＷＬＮ  ｉｎｆｏｒｍａｔｉｏｎ  ｅｌｅｍｅｎｔの値は前記値の方式を含むが、これに限定されない。
【００８３】
図９に示す方法は以下のステップ（ユーザ装置により実行される）を含む：
ステップ９００１：ユーザ装置ＵＥがＲＲＣＣｏｎｎｅｃｔｉｏｎＲｅｃｏｎｆｉｇｕｒａｔｉｏｎメッセージを受信する。
ステップ９００２：ＵＥにおける構成済みのＤＲＢ（前記ＤＲＢのＩＤはｄｒｂ−Ｉｄｅｎｔｉｔｙである）に対して、前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔ  ｉｎｆｏｒｍａｔｉｏｎ  ｅｌｅｍｅｎｔを含み、且つ前記ｄｒｂ−Ｉｄｅｎｔｉｔｙが前記ｄｒｂ−ＴｏＡｄｄＭｏｄＬｉｓｔ  ｉｎｆｏｒｍａｔｉｏｎ  ｅｌｅｍｅｎｔ中に含まれるか否かを判断する。もしＹＥＳであれば、ステップ９００３を実行し、ＮＯであれば、９０１６を実行する。
ステップ９００３：前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔＷＬＮ  ｉｎｆｏｒｍａｔｉｏｎ  ｅｌｅｍｅｎｔを含み、且つ前記ｄｒｂ−Ｉｄｅｎｔｉｔｙが前記ｄｒｂ−ＴｏＡｄｄＭｏｄＬｉｓｔＷＬＮ  ｉｎｆｏｒｍａｔｉｏｎ  ｅｌｅｍｅｎｔ中に含まれるか否かを判断する。もしＹＥＳであれば、ステップ９００４を実行し、ＮＯであれば、９０１０を実行する。
ステップ９００４：ＵＥにおける前記構成済みでＩＤがｄｒｂ−ＩｄｅｎｔｉｔｙであるＤＲＢはＭＣＧ  ＤＲＢであるか否かを判断する。もしＹＥＳであれば、ステップ９００５を実行し、ＮＯであれば、９００７を実行する。
ステップ９００５：前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙに関連するｄｒｂ−ＴｙｐｅＷＬＮ  ｉｎｆｏｒｍａｔｉｏｎ  ｅｌｅｍｅｎｔを含み、且つ前記ｄｒｂ−ＴｙｐｅＷＬＮ値がＷＬＮｓｐｌｉｔであるか否かを判断する。もしＹＥＳであれば、ステップ９００６を実行する。
ステップ９００６：ＭＣＧ  ＤＲＢをＷＬＮ分離ＤＲＢとして再構成する。
ステップ９００７：ＵＥにおける前記構成済みでＩＤがｄｒｂ−ＩｄｅｎｔｉｔｙであるＤＲＢがＷＬＮ不可分ＤＲＢであるか否かを判断する。もしＹＥＳであれば、ステップ９００８を実行する。
ステップ９００８：前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙに関連するｄｒｂ−ＴｙｐｅＷＬＮ  ｉｎｆｏｒｍａｔｉｏｎ  ｅｌｅｍｅｎｔを含み、且つ前記ｄｒｂ−ＴｙｐｅＷＬＮ値がＷＬＮｓｐｌｉｔであるか否かを判断する。もしＹＥＳであれば、ステップ９００９を実行する。
ステップ９００９：ＷＬＮ不可分ＤＲＢをＷＬＮ分離ＤＲＢとして再構成する。
ステップ９０１０：ＵＥにおける前記構成済みでＩＤがｄｒｂ−ＩｄｅｎｔｉｔｙであるＤＲＢがＷＬＮ分離ＤＲＢであるか否かを判断する。もしＹＥＳであれば、ステップ９０１１を実行し、ＮＯであれば、９０１３を実行する。
ステップ９０１１：前記ｄｒｂ−ＴｏＡｄｄＭｏｄＬｉｓｔ  ｉｎｆｏｒｍａｔｉｏｎ  ｅｌｅｍｅｎｔが前記ｄｒｂ−Ｉｄｅｎｔｉｔｙに関連するｄｒｂ−ＴｙｐｅＣｈａｎｇｅＷＬＮ  ｉｎｆｏｒｍａｔｉｏｎ  ｅｌｅｍｅｎｔを含み、且つ前記ｄｒｂ−ＴｙｐｅＣｈａｎｇｅＷＬＮ値がｔｏＭＣＧであるか否かを判断する。もしＹＥＳであれば、ステップ９０１２を実行する。
ステップ９０１２：ＷＬＮ分離ＤＲＢをＭＣＧ  ＤＲＢとして再構成する。
ステップ９０１３：ＵＥにおける前記構成済みでＩＤがｄｒｂ−ＩｄｅｎｔｉｔｙであるＤＲＢがＷＬＮ不可分ＤＲＢであるか否かを判断する。もしＹＥＳであれば、ステップ９０１４を実行する。
ステップ９０１４：ｄｒｂ−ＴｏＡｄｄＭｏｄＬｉｓｔ  ｉｎｆｏｒｍａｔｉｏｎ  ｅｌｅｍｅｎｔが前記ｄｒｂ−Ｉｄｅｎｔｉｔｙに関連するｄｒｂ−ＴｙｐｅＣｈａｎｇｅＷＬＮ  ｉｎｆｏｒｍａｔｉｏｎ  ｅｌｅｍｅｎｔを含み、且つ前記ｄｒｂ−ＴｙｐｅＣｈａｎｇｅＷＬＮ値がｔｏＭＣＧであるか否かを判断する。もしＹＥＳであれば、ステップ９０１５を実行する。
ステップ９０１５：ＷＬＮ不可分ＤＲＢをＭＣＧ  ＤＲＢとして再構成する。
ステップ９０１６：前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔＷＬＮ  ｉｎｆｏｒｍａｔｉｏｎ  ｅｌｅｍｅｎｔを含み、且つ前記ｄｒｂ−Ｉｄｅｎｔｉｔｙが前記ｄｒｂ−ＴｏＡｄｄＭｏｄＬｉｓｔＷＬＮ  ｉｎｆｏｒｍａｔｉｏｎ  ｅｌｅｍｅｎｔ中に含まれるか否かを判断する。もしＹＥＳであれば、ステップ９０１７を実行する。ステップ９０１７：ＵＥにおける前記構成済みでＩＤがｄｒｂ−ＩｄｅｎｔｉｔｙであるＤＲＢはＭＣＧ  ＤＲＢであるか否かを判断する。もしＹＥＳであれば、ステップ９０１８を実行し、ＮＯであれば、９０２０を実行する。
ステップ９０１８：前記ｄｒｂ−ＴｏＡｄｄＭｏｄＬｉｓｔＷＬＮ  ｉｎｆｏｒｍａｔｉｏｎ  ｅｌｅｍｅｎｔ中に前記ｄｒｂ−Ｉｄｅｎｔｉｔｙに対応するｄｒｂ−ＴｙｐｅＷＬＮ  ｉｎｆｏｒｍａｔｉｏｎ  ｅｌｅｍｅｎｔを含み、且つ前記ｄｒｂ−ＴｙｐｅＷＬＮ値がＷＬＮｎｏｎｓｐｌｉｔであるか否かを判断する。もしＹＥＳであれば、ステップ９０１９を実行する。
ステップ９０１９：ＭＣＧ  ＤＲＢをＷＬＮ不可分ＤＲＢとして再構成する。
ステップ９０２０：ＵＥにおける前記構成済みでＩＤがｄｒｂ−ＩｄｅｎｔｉｔｙであるＤＲＢがＷＬＮ分離ＤＲＢであるか否かを判断する。もしＹＥＳであれば、ステップ９０２１を実行する。ステップ９０２１：前記ｄｒｂ−ＴｏＡｄｄＭｏｄＬｉｓｔＷＬＮ  ｉｎｆｏｒｍａｔｉｏｎ  ｅｌｅｍｅｎｔ中に前記ｄｒｂ−Ｉｄｅｎｔｉｔｙに対応するｄｒｂ−ＴｙｐｅＷＬＮ  ｉｎｆｏｒｍａｔｉｏｎ  ｅｌｅｍｅｎｔを含み、且つ前記ｄｒｂ−ＴｙｐｅＷＬＮ値がＷＬＮｎｏｎｓｐｌｉｔであるか否かを判断する。もしＹＥＳであれば、ステップ９０２２を実行する。
ステップ９０２２：ＷＬＮ分離ＤＲＢをＷＬＮ不可分ＤＲＢとして再構成する。
図１０に示す方法は以下のステップ（ユーザ装置ＵＥにより実行される）を含む：
ステップ１００１：ＵＥがＲＲＣＣｏｎｎｅｃｔｉｏｎＲｅｃｏｎｆｉｇｕｒａｔｉｏｎメッセージを受信する。
ステップ１００２：ＵＥにおける構成済みでＩＤがｄｒｂ−ＩｄｅｎｔｉｔｙであるＤＲＢに対して、前記ＤＲＢがＷＬＮ分離ＤＲＢであるか否かを判断する。もしＹＥＳであれば、ステップ１００３を実行し、ＮＯであれば、１００８を実行する。
ステップ１００３：前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔ  ｉｎｆｏｒｍａｔｉｏｎ  ｅｌｅｍｅｎｔを含み、且つ前記ｄｒｂ−ＴｏＡｄｄＭｏｄＬｉｓｔ  ｉｎｆｏｒｍａｔｉｏｎ  ｅｌｅｍｅｎｔ中に前記ｄｒｂ−Ｉｄｅｎｔｉｔｙを含み、且つ前記ｄｒｂ−ＴｏＡｄｄＭｏｄＬｉｓｔ  ｉｎｆｏｒｍａｔｉｏｎ  ｅｌｅｍｅｎｔ中に前記ｄｒｂ−Ｉｄｅｎｔｉｔｙに対応するｄｒｂ−ＴｙｐｅＣｈａｎｇｅＷＬＮ  ｉｎｆｏｒｍａｔｉｏｎ  ｅｌｅｍｅｎｔを更に含み、且つ前記ｄｒｂ−ＴｙｐｅＣｈａｎｇｅＷＬＮの値がｔｏＭＣＧであるか否かを判断する。もしＹＥＳであれば、ステップ１００４を実行し、ＮＯであれば、１００５を実行する。
ステップ１００４：ＷＬＮ分離ＤＲＢをＭＣＧ  ＤＲＢとして再構成する。
ステップ１００５：前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔＷＬＮ  ｉｎｆｏｒｍａｔｉｏｎ  ｅｌｅｍｅｎｔを含み、且つ前記ｄｒｂ−ＴｏＡｄｄＭｏｄＬｉｓｔＷＬＮ  ｉｎｆｏｒｍａｔｉｏｎ  ｅｌｅｍｅｎｔ中に前記ｄｒｂ−Ｉｄｅｎｔｉｔｙを含み、且つ前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙに対応するｄｒｂ−ＴｙｐｅＷＬＮ  ｉｎｆｏｒｍａｔｉｏｎ  ｅｌｅｍｅｎｔを更に含み、且つ前記ｄｒｂ−ＴｙｐｅＷＬＮの値がＷＬＮｎｏｎｓｐｌｉｔであるか否かを判断する。もしＹＥＳであれば、ステップ１００６を実行し、ＮＯであれば、１００７を実行する。
ステップ１００６：ＷＬＮ分離ＤＲＢをＷＬＮ不可分ＤＲＢとして再構成する。
ステップ１００７：ＷＬＮ分離ＤＲＢを再構成する。
ステップ１００８：ＵＥにおける構成済みで前記ＩＤがｄｒｂ−ＩｄｅｎｔｉｔｙであるＤＲＢがＷＬＮ不可分ＤＲＢであるか否かを判断する。もしＹＥＳであれば、ステップ１００９を実行し、ＮＯであれば、１０１４を実行する。
ステップ１００９：前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔ  ｉｎｆｏｒｍａｔｉｏｎ  ｅｌｅｍｅｎｔを含み、且つ前記ｄｒｂ−ＴｏＡｄｄＭｏｄＬｉｓｔ  ｉｎｆｏｒｍａｔｉｏｎ  ｅｌｅｍｅｎｔ中に前記ｄｒｂ−Ｉｄｅｎｔｉｔｙを含み、且つ前記ｄｒｂ−ＴｏＡｄｄＭｏｄＬｉｓｔ  ｉｎｆｏｒｍａｔｉｏｎ  ｅｌｅｍｅｎｔが前記ｄｒｂ−Ｉｄｅｎｔｉｔｙに対応するｄｒｂ−ＴｙｐｅＣｈａｎｇｅＷＬＮ  ｉｎｆｏｒｍａｔｉｏｎ  ｅｌｅｍｅｎｔを更に含み、且つ前記ｄｒｂ−ＴｙｐｅＣｈａｎｇｅＷＬＮの値がｔｏＭＣＧであるか否かを判断する。もしＹＥＳであれば、ステップ１０１０を実行し、ＮＯであれば、１０１１を実行する。
ステップ１０１０：ＷＬＮ不可分ＤＲＢをＭＣＧ  ＤＲＢとして再構成する。
ステップ１０１１：前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔＷＬＮ  ｉｎｆｏｒｍａｔｉｏｎ  ｅｌｅｍｅｎｔを含み、且つ前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙを含み、且つ前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙに対応するｄｒｂ−ＴｙｐｅＷＬＮ  ｉｎｆｏｒｍａｔｉｏｎ  ｅｌｅｍｅｎｔを更に含み、且つ前記ｄｒｂ−ＴｙｐｅＷＬＮの値がＷＬＮｓｐｌｉｔであるか否かを判断する。もしＹＥＳであれば、ステップ１０１２を実行し、ＮＯであれば、１０１３を実行する。
ステップ１０１２：ＷＬＮ不可分ＤＲＢをＷＬＮ分離ＤＲＢとして再構成する。
ステップ１０１３：ＷＬＮ不可分ＤＲＢを再構成する。
ステップ１０１４：ＵＥにおける構成済みで前記ＩＤがｄｒｂ−ＩｄｅｎｔｉｔｙであるＤＲＢはＭＣＧ  ＤＲＢであるか否かを判断する。もしＹＥＳであれば、ステップ１０１５を実行する。
ステップ１０１５：前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔＷＬＮ  ｉｎｆｏｒｍａｔｉｏｎ  ｅｌｅｍｅｎｔを含み、且つ前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙを含み、且つ前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙに対応するｄｒｂ−ＴｙｐｅＷＬＮ  ｉｎｆｏｒｍａｔｉｏｎ  ｅｌｅｍｅｎｔを更に含み、且つ前記ｄｒｂ−ＴｙｐｅＷＬＮの値がＷＬＮｎｏｎｓｐｌｉｔであるか否かを判断する。もしＹＥＳであれば、ステップ１０１６を実行し、ＮＯであれば、１０１７を実行する。
ステップ１０１６：ＭＣＧ  ＤＲＢをＷＬＮ不可分ＤＲＢとして再構成する。
ステップ１０１７：前記ＲＲＣＣｏｎｎｅｃｔｉｏｎＲｅｃｏｎｆｉｇｕｒａｔｉｏｎメッセージがｄｒｂ−ＴｏＡｄｄＭｏｄＬｉｓｔＷＬＮ  ｉｎｆｏｒｍａｔｉｏｎ  ｅｌｅｍｅｎｔを含み、且つ前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙを含み、且つ前記ｄｒｂ−ＴｏＡｄｄＭｏｄＬｉｓｔＷＬＮ  ｉｎｆｏｒｍａｔｉｏｎ  ｅｌｅｍｅｎｔが前記ｄｒｂ−Ｉｄｅｎｔｉｔｙに対応するｄｒｂ−ＴｙｐｅＷＬＮ  ｉｎｆｏｒｍａｔｉｏｎ  ｅｌｅｍｅｎｔを更に含み、且つ前記ｄｒｂ−ＴｙｐｅＷＬＮの値がＷＬＮｓｐｌｉｔであるか否かを判断する。もしＹＥＳであれば、ステップ９０１８を実行する。
ステップ１０１８：ＭＣＧ  ＤＲＢをＷＬＮ分離ＤＲＢとして再構成する。
【００８４】
説明すべきは、ステップ９０１２及びステップ１００４におけるＷＬＮ分離ＤＲＢをＭＣＧ  ＤＲＢとして再構成する工程は図５に示す手順を採用することができるということである。ステップ９０２２及びステップ１００６におけるＷＬＮ分離ＤＲＢをＷＬＮ不可分ＤＲＢとして再構成する工程は図６に示す手順を採用することができる。ステップ９０１５及びステップ１０１０におけるＷＬＮ不可分ＤＲＢをＭＣＧ  ＤＲＢとして再構成する工程は図７に示す手順を採用することができる。ステップ９００９及びステップ１０１２におけるＷＬＮ不可分ＤＲＢをＷＬＮ分離ＤＲＢとして再構成する工程は図８に示す手順を採用することができる。ステップ９００６及びステップ１０１８におけるＭＣＧ  ＤＲＢをＷＬＮ分離ＤＲＢとして再構成する工程は図３に示す手順を採用することができる。ステップ９０１９及びステップ１０１６におけるＭＣＧ  ＤＲＢをＷＬＮ不可分ＤＲＢとして再構成する工程は図４に示す手順を採用することができる。
【００８５】
本発明の実施例によれば、ユーザ装置がＷＬＮ分離ＤＲＢを確立することは以下の工程を含む：もしＷＬＮ  ＤＲＢと適応エンティティとの間に多数対一のマッピング関係が存在するのであれば、ｄｒｂ−ＴｏＡｄｄＭｏｄＬｉｓｔＷＬＮ中に携帯するＡｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。選択可能に、もし前記ＷＬＮ中に適応エンティティがなければ、確立するＷＬＮ分離ＤＲＢが適応エンティティの第１のＷＬＮ  ＤＲＢである必要があり、適応エンティティを確立する。もしＷＬＮ  ＤＲＢと適応エンティティとの間に一対一のマッピング関係が存在するのであれば、ｄｒｂ−ＴｏＡｄｄＭｏｄＬｉｓｔＷＬＮ中に携帯するＡｄａｐｔａｔｉｏｎ−Ｃｏｎｆｉｇ  ｉｎｆｏｒｍａｔｉｏｎ  ｅｌｅｍｅｎｔに基づいて適応エンティティを確立する。ｄｒｂ−ＴｏＡｄｄＭｏｄＬｉｓｔ中に携帯するｐｄｃｐ−Ｃｏｎｆｉｇ  ｉｎｆｏｒｍａｔｉｏｎ  ｅｌｅｍｅｎｔに基づいてＰＤＣＰエンティティを確立するとともに、ＭＣＧセキュリティ構成情報を利用してＰＤＣＰエンティティを構成する。ｄｒｂ−ＴｏＡｄｄＭｏｄＬｉｓｔ中にｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔを携帯しているものに基づいてＭＣＧ  ＲＬＣエンティティ及びＭＣＧ  ＤＴＣＨ論理チャネルを確立する。
【００８６】
本発明の実施例によれば、ユーザ装置がＷＬＮ不可分ＤＲＢを確立することは以下の工程を含む：もしＷＬＮ  ＤＲＢと適応エンティティとの間に多数対一のマッピング関係が存在するのであれば、ｄｒｂ−ＴｏＡｄｄＭｏｄＬｉｓｔＷＬＮ中に携帯するＡｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。選択可能に、もし前記ＷＬＮ中に適応エンティティがなければ、ＷＬＮ分離ＤＲＢが適応エンティティの第１のＷＬＮ  ＤＲＢであり、適応エンティティを確立する。もしＷＬＮ  ＤＲＢと適応エンティティとの間に一対一のマッピング関係が存在するのであれば、ｄｒｂ−ＴｏＡｄｄＭｏｄＬｉｓｔＷＬＮ中に携帯するＡｄａｐｔａｔｉｏｎ−Ｃｏｎｆｉｇ  ｉｎｆｏｒｍａｔｉｏｎ  ｅｌｅｍｅｎｔに基づいて適応エンティティを確立する。ｄｒｂ−ＴｏＡｄｄＭｏｄＬｉｓｔ中に携帯するｐｄｃｐ−Ｃｏｎｆｉｇ  ｉｎｆｏｒｍａｔｉｏｎ  ｅｌｅｍｅｎｔに基づいてＰＤＣＰエンティティを確立するとともに、ＭＣＧセキュリティ構成情報を利用してＰＤＣＰエンティティを構成する。選択可能に、ｄｒｂ−ＴｏＡｄｄＭｏｄＬｉｓｔＷＬＮ中に携帯するｐｄｃｐ−Ｃｏｎｆｉｇ  ｉｎｆｏｒｍａｔｉｏｎ  ｅｌｅｍｅｎｔに基づいてＰＤＣＰエンティティを確立するとともに、ＭＣＧセキュリティ構成情報を利用してＰＤＣＰエンティティを構成する。
【００８７】
本発明の実施例によれば、ユーザ装置がＷＬＮ分離ＤＲＢを再構成することは以下の工程を含む：もしｄｒｂ−ＴｏＡｄｄＭｏｄＬｉｓｔＷＬＮ中にＡｄａｐｔａｔｉｏｎ−Ｃｏｎｆｉｇ  ｉｎｆｏｒｍａｔｉｏｎ  ｅｌｅｍｅｎｔを携帯しているのであれば、前記Ａｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。もしｄｒｂ−ＴｏＡｄｄＭｏｄＬｉｓｔ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。選択可能に、もしｄｒｂ−ＴｏＡｄｄＭｏｄＬｉｓｔＷＬＮ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。もしｄｒｂ−ＴｏＡｄｄＭｏｄＬｉｓｔ中にｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔを携帯しているのであれば、前記ｒｌｃ−Ｃｏｎｆｉｇ  ｉｎｆｏｒｍａｔｉｏｎ  ｅｌｅｍｅｎｔ、ｌｏｇｉｃａｌＣｈａｎｎｅｌＩｄｅｎｔｉｔｙ  ｉｎｆｏｒｍａｔｉｏｎ  ｅｌｅｍｅｎｔ及びｌｏｇｉｃａｌＣｈａｎｎｅｌＣｏｎｆｉｇ  ｉｎｆｏｒｍａｔｉｏｎ  ｅｌｅｍｅｎｔに基づいてＭＣＧ  ＲＬＣエンティティ及びＭＣＧ  ＤＴＣＨ論理チャネルを再構成する。選択可能に、ユーザ装置がＷＬＮ分離ＤＲＢを再構成する時に、ＰＤＣＰエンティティを再構築するとともにＰＤＣＰステータスリポートを送信する。選択可能に、ＲＲＣシグナリングにより、ユーザ装置がＷＬＮ分離ＤＲＢを再構成する時に、ＰＤＣＰエンティティを再構築するとともにＰＤＣＰステータスリポートを送信するか否かを構成することができる。
【００８８】
本発明の実施例によれば、ユーザ装置がＷＬＮ分離ＤＲＢを再構成することは以下の工程を含む：もしｄｒｂ−ＴｏＡｄｄＭｏｄＬｉｓｔＷＬＮ中にＡｄａｐｔａｔｉｏｎ−Ｃｏｎｆｉｇ  ｉｎｆｏｒｍａｔｉｏｎ  ｅｌｅｍｅｎｔを携帯しているのであれば、前記Ａｄａｐｔａｔｉｏｎ−Ｃｏｎｆｉｇ  ｉｎｆｏｒｍａｔｉｏｎ  ｅｌｅｍｅｎｔに基づいて適応エンティティを再構成する。もしｄｒｂ−ＴｏＡｄｄＭｏｄＬｉｓｔ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。選択可能に、もしｄｒｂ−ＴｏＡｄｄＭｏｄＬｉｓｔＷＬＮ中にｐｄｃｐ−Ｃｏｎｆｉｇ  ｉｎｆｏｒｍａｔｉｏｎ  ｅｌｅｍｅｎｔを携帯しているのであれば、前記ｐｄｃｐ−Ｃｏｎｆｉｇ  ｉｎｆｏｒｍａｔｉｏｎ  ｅｌｅｍｅｎｔに基づいてＰＤＣＰエンティティを再構成する。
【００８９】
選択可能に、ユーザ装置がＷＬＮ不可分ＤＲＢを再構成する時に、ＰＤＣＰエンティティを再構築するとともにＰＤＣＰステータスリポートを送信する。選択可能に、ＲＲＣシグナリングにより、ユーザ装置がＷＬＮ不可分ＤＲＢを再構成する時に、ＰＤＣＰエンティティを再構築するとともにＰＤＣＰステータスリポートを送信するか否かを構成することができる。
【００９０】
図１１は本発明の実施例に係るユーザ装置を示したブロック図である。図１１に示すように、ユーザ装置１１００は受信ユニット１１０１と、決定ユニット１１０２と、再構成ユニット１１０３とを備える。選択的に、ユーザ装置１１００は再構築ユニット１１０４を更に備えることができる。
【００９１】
受信ユニット１１０１は、無線リソース制御接続再構成メッセージを受信するように構成されることができる。
【００９２】
決定ユニット１１０２は、受信した無線リソース制御接続再構成メッセージ中に、ユーザ装置が第１のタイプのデータ無線ベアラを第１のタイプとは異なる第２のタイプのデータ無線ベアラとして再構成することを指示する指示情報を含むか否かを決定するように構成されることができる。
【００９３】
再構成ユニット１１０３は、もし受信した無線リソース制御接続再構成メッセージ中に指示情報が含まれるのであれば、前記無線リソース制御接続再構成メッセージに基づいてユーザ装置に対して再構成を行うように構成されることができる。
【００９４】
再構築ユニット１１０４は、ＰＤＣＰエンティティを再構築するように構成されることができる。
【００９５】
本発明の実施例によれば、第１のタイプのデータ無線ベアラはマスターセルグループＭＣＧデータ無線ベアラ、ワイヤレスローカルエリアネットワークＷＬＮ分離データ無線ベアラ又はワイヤレスローカルエリアネットワークＷＬＮ不可分データ無線ベアラを含むことができる。第２のタイプのデータ無線ベアラはＭＣＧデータ無線ベアラ、ＷＬＮ分離データ無線ベアラ又はＷＬＮ不可分データ無線ベアラを含む。
【００９６】
当業者は、図１１に示すユーザ装置１１００を採用することで上記した図３〜図１０に対して記載する各々の方法を実行することができることを理解できる。簡素化のために、ここでは重複説明はしない。
【００９７】
理解されるべきは、本発明の上記実施例はソフトウェア、ハードウェア又はソフトウェアとハードウェアとの両者の結合により実現することができるということである。例えば、上記実施例におけるユーザ装置内部の各種コンポーネントは複数種類のデバイスにより実現することができるものであって、これらデバイスは、アナログ回路デバイス、デジタル回路デバイス、デジタル信号処理（ＤＳＰ）回路、プログラマブルプロセッサ、特定用途向け集積回路（ＡＳＩＣ）、フィールドプログラマブルゲートアレイ（ＦＰＧＡ）、プログラマブルロジックデバイス（ＣＰＬＤ）等が含まれるが、これに限定されない。
【００９８】
本願における「基地局」とは大きな出力と広いカバー面積を有する移動通信データ及び制御交換センターのことであり、リリース割当スケジューリング、データ送受信等の機能が含まれる。「ユーザ装置」はユーザ移動体端末のことであり、例えば携帯電話機、ノートパソコン等、基地局又はマイクロ基地局と無線通信を行うことができる端末装置が含まれる。
【００９９】
また、ここで開示する本発明の実施例はコンピュータプログラム製品にて実現することができる。より具体的には、該コンピュータプログラム製品は下記の一種類の製品である：コンピュータ読み取り可能なメディアを有しており、コンピュータ読み取り可能なメディアにはコンピュータプログラムロジックが符号化されており、コンピュータにて実行するとき、該コンピュータプログラムロジックは関連する動作を提供することで本発明の上記技術手法を実現する。コンピュータシステムの少なくとも一つのプロセッサで実行されるとき、コンピュータプログラムロジックはプロセッサにて本発明の実施例に記載する動作（方法）を実行させる。本発明のこのような構成は典型的には、例えば光学メディア（例えばＣＤ−ＲＯＭ）、フロッピーディスク又はハードディスク等のコンピュータ読み取り可能なメディア上に構成又は符号化されたソフトウェア、コード及び又はその他データ構成、又は諸々の一つ以上のＲＯＭ又はＲＡＭ又はＰＲＯＭチップ上のファームウェア又はマイクロコードのその他メディア、又は一つ以上のモジュール中のダウンロード可能なソフトウェア画像、共用データベース等として提供される。ソフトウェア又はファームウェア又はこのような構成はコンピュータ装置にインストールすることで、装置中の一つ以上のプロセッサが本発明の実施例に記載する技術手法を実行することができる。
【０１００】
上記にてすでに本発明の好ましい実施例を結合して本発明を示したが、当業者であれば、本発明の技術思想及び範囲から外れることのない状況にて、本発明に各種修正、置換及び変更を行うことができるということを理解し得る。よって、本発明は上記実施例に限定されるべきでなく、添付する特許請求の範囲及びその等価物により限定されるべきである。
【図１】
0006661663.tif 000002
【図２】
0006661663.tif 000003
【図３】
0006661663.tif 000004
【図４】
0006661663.tif 000005
【図５】
0006661663.tif 000006
【図６】
0006661663.tif 000007
【図７】
0006661663.tif 000008
【図８】
0006661663.tif 000009
【図９】
0006661663.tif 000010
【図１０】
0006661663.tif 000011
【図１１】
0006661663.tif 000012